(57)【要約】【課題】簡易にループ制御の立ち上げを行い、かつプロテクションパスの切り替え時間の短縮化を図る。【解決手段】光可変減衰器１５は、光減衰量を調整する。モニタ部１６は、光可変減衰器１５の後段に設置されて光パワーをモニタする。制御部１８は、光可変減衰器１５の減衰量制御を行い、光検出しきい値のレベルを光アンプ１１ａから放出される雑音光のレベルと等しくして、モニタ値が雑音光レベルに達した場合はＡＬＣモードへ遷移して、光レベル調整のためのループ制御の立ち上げを行う。【選択図】        図１
2005012689.tif 000002
【特許請求の範囲】
【請求項１】
光信号の伝送を行う光伝送装置において、
光減衰量を調整する光可変減衰器と、
前記光可変減衰器の後段に設置されて光パワーをモニタするモニタ部と、
前記光可変減衰器の減衰量制御を行い、光検出しきい値のレベルを光アンプから放出される雑音光のレベルと等しくし、モニタ値が雑音光レベルに達した場合にＡＬＣモードへ遷移して、光レベル調整のためのループ制御の立ち上げを行う制御部と、
を有することを特徴とする光伝送装置。
【請求項２】
前記制御部は、運用時に設定すべき通常ターゲットパワーよりも低いレベルの低レベルターゲットパワーを設定しておき、雑音光レベルを認識した際は、前記光可変減衰器の出力レベルが前記低レベルターゲットパワーになるように減衰量を設定し、光アンプに一定レベルの光が一定時間入力することが確認された後には、前記光可変減衰器の出力レベルが前記通常ターゲットパワーとなるように減衰量を設定することを特徴とする請求項１記載の光伝送装置。
【請求項３】
前記制御部は、ＡＬＤモードからＡＬＣモードへ遷移してループ制御の立ち上げを行う、または装置に電源が投入し、光アンプに一定レベルの光が一定時間入力することが確認された場合は、運用時の通常減衰量の近傍に位置する所定減衰量を設定して、所定減衰量からＡＬＣモードの通常減衰量へ遷移してループ制御の立ち上げを行うことを特徴とする請求項１記載の光伝送装置。
【請求項４】
ＷＤＭの光伝送を行うＷＤＭ装置において、
前段ノードから送信されたＷＤＭ信号を増幅するプリアンプと、
増幅されたＷＤＭ信号の波長を分離する波長分離部と、
波長毎に光スイッチングを行う光スイッチと、
波長毎に光減衰量を調整する光可変減衰器と、
前記光可変減衰器の後段に設置されて光パワーをモニタするモニタ部と、
前記光可変減衰器の減衰量制御を行い、光検出しきい値のレベルを光アンプから放出される雑音光のレベルと等しくして、モニタ値が雑音光レベルに達した場合、ＡＬＤモードからＡＬＣモードへ遷移してループ制御の立ち上げを行う、または装置に電源が投入し、光アンプに一定レベルの光が一定時間入力することが確認された後は、運用時の通常減衰量の近傍に位置する所定減衰量を設定し、所定減衰量からＡＬＣモードの通常減衰量へ遷移してループ制御の立ち上げを行う制御部と、
同一レベルの波長を多重してＷＤＭ信号を生成する波長多重部と、
ＷＤＭ信号を増幅するポストアンプと、
を有することを特徴とするＷＤＭ装置。
【請求項５】
前記制御部は、運用時に設定すべき通常ターゲットパワーよりも低いレベルの低レベルターゲットパワーを設定しておき、雑音光レベルを認識した際は、前記光可変減衰器の出力レベルが前記低レベルターゲットパワーになるように減衰量を設定し、光アンプに一定レベルの光が一定時間入力することが確認された後には、前記光可変減衰器の出力レベルが前記通常ターゲットパワーとなるように減衰量を設定することを特徴とする請求項４記載のＷＤＭ装置。
【発明の詳細な説明】
【０００１】
【発明の属する技術分野】
本発明は、光伝送装置に関し、特にＷＤＭ（Ｗａｖｅｌｅｎｇｔｈ  Ｄｉｖｉｓｉｏｎ  Ｍｕｌｔｉｐｌｅｘ）の光信号の伝送を行う光伝送装置に関する。
【０００２】
【従来の技術】
近年、光伝送技術としてＷＤＭ技術が広く用いられている。ＷＤＭは、波長の異なる光を多重して、１本の光ファイバで複数の信号（例えば、４０〜１００波）を同時に伝送する方式である。ＷＤＭでは、波長多重されたＷＤＭ信号を長距離伝送する場合、各波長の光パワーのばらつきを抑えて一定のレベルにすることで、伝送劣化を防いでいる。
【０００３】
光パワーのばらつきを抑制するデバイスには、光可変減衰器（ＶＡＴ：Ｖａｒｉａｂｌｅ  Ａｔｔｅｎｕａｔｏｒ）が用いられる。ＶＡＴは、波長（チャネル）毎に設けられてレベル制御を行い、全波長の光パワーを同一レベルに設定する。
【０００４】
具体的には、入力光のレベルが変動したときでも、ＶＡＴからの出力光パワーのばらつきを抑えて一定値にするために、ＶＡＴの後段にＰＤ（Ｐｈｏｔｏ  Ｄｉｏｄｅ）を設けて、ＰＤでモニタされた値が一定となるようにフィードバックによるループ制御が行われる。
【０００５】
このループ制御を立ち上げるには（すなわち、ループ制御をＡＬＣ（Ａｕｔｏｍａｔｉｃ  Ｌｅｖｅｌ  Ｃｏｎｔｒｏｌ）モードとするには）、最初に最低限１波の光信号を入力して、トリガをかける必要がある。
【０００６】
ただし、装置の電源投入前は、ＶＡＴは全閉じ状態（減衰量が最大）であり、全閉じ状態だと後段のＰＤに光が入力せずに、出力パワー一定のループ制御が起動しない。したがって、電源投入後は、まずオペレータ設定等により、通常はＶＡＴを半開き状態（減衰量設定範囲の中間の位置）にしておき、その後に、従来では主信号光レベルの光信号を入力することで、ＶＡＴを所定の開き具合にして立ち上げを行っていた。
【０００７】
なお、ＶＡＴ半開き状態（半開きに限らず、ある固定の減衰量に設定した状態）は、ＡＬＤ（Ａｕｔｏｍａｔｉｃ  Ｌｅｖｅｌ  Ｄｏｗｎ）モードと呼ばれ、装置に電源を投入して、ループ制御をＡＬＣモードへ遷移させる際の前段階のモードとして利用される。
【０００８】
一方、運用中のＷＤＭノードに対し、入力するＷＤＭ信号が回線障害等で断した場合は、入力光信号のレベルが小さくなってくるので、ＷＤＭノード内のＶＡＴでは、光レベルを上げようとして、減衰量が小さくなる方向へ向かう。
【０００９】
また、プリアンプ（前段ノードから送信された多波長の光信号を受信して増幅するための多波長光受信アンプ）では、入力光信号のレベルに応じた励起光を入射して光増幅を行っている。このため、光入力断時には励起光パワーを即座に落として対応しなければならない。
【００１０】
ところが、光入力断時には、励起光の切り替えが入力光信号のレベル変化よりも遅いために（入力断時の０波の入力に対して、運用時の波長数相当の励起光が瞬間的に入射されるために）、利得が急激に変動し、プリアンプから瞬間的に高レベルの残存光（光サージと呼ばれる）が発生してしまう。
【００１１】
光入力断時に、ＶＡＴの状態が上述のように、減衰量を最小にしてＴｈｒｕに近い状態になっていると、このとき発生した光サージは、ＶＡＴをそのまま通過してしまう。光サージが伝送されると伝送エラーが生じたり、最悪の場合は受信器を損壊してしまうといったおそれがある。
【００１２】
従来技術として、光入力断時には、ＶＡＴの減衰量を大きくして、断復帰時には減衰量を小さくするように制御して、光サージの影響を抑制する技術が提案されている（例えば、特許文献１）。
【００１３】
【特許文献１】
特開平１１−１１２４３５号公報（段落番号〔００２３〕〜〔００２７〕，第８図）
【００１４】
【発明が解決しようとする課題】
従来のループ制御立ち上げでは、光検出のしきい値レベルが主信号光レベルとなっているので、立ち上げのトリガに主信号光レベルの光信号を入力する必要があった。このため、隣接の前段装置から出力される光や、トランスポンダによるＡｄｄ光を使用したり、または可変波長光源を装置内部に設けるなどの対応が必要であった。
【００１５】
しかし、隣接の前段装置から出力される光を用いる場合には、自装置のループ制御を立ち上げる前に、隣接の他装置側が立ち上がっていなければならないといった不都合がある。また、トランスポンダを使用する場合には、トランスポンダを利用しての立ち上げ用の系をあらたに組まなければならず、さらに可変波長光源を設ける場合は、立ち上げのためだけに外付け光源を設けることになり、コストがかかり効率が悪いといった問題があった。
【００１６】
また、従来技術（特開平１１−１１２４３５号公報）では、光入力断時にＶＡＴが全開（減衰量が最小）となる前に、減衰量を大きくする制御を行っており（すなわち、ＡＬＤモードにしている）、光サージの影響を抑制することに関しては有効である。
【００１７】
しかし、ＡＬＤモードから通常減衰量のＡＬＣモードへの移行に要する時間については考慮されていない。もし、この時間が長引くと、リングネットワークのようなＷＤＭ装置が多段接続されているシステムにおいては、障害回避のためのプロテクションパス確立にかかる切り替えに要する累積時間が長引いてしまい、プロテクションタイムの規格を満たすことができないおそれがあるといった問題があった。
【００１８】
本発明はこのような点に鑑みてなされたものであり、簡易にループ制御の立ち上げを行い、かつプロテクションパスの切り替え時間の短縮化を図る光伝送装置を提供することを目的とする。
【００１９】
【課題を解決するための手段】
本発明では上記課題を解決するために、図１に示すような、光信号の伝送を行う光伝送装置１０において、光減衰量を調整する光可変減衰器１５と、光可変減衰器１５の後段に設置されて光パワーをモニタするモニタ部１６と、光可変減衰器１５の減衰量制御を行い、光検出しきい値のレベルを光アンプ１１ａから放出される雑音光のレベルと等しくして、モニタ値が雑音光レベルに達した場合に、ＡＬＣモードへ遷移して、光レベル調整のためのループ制御の立ち上げを行う制御部１８と、を有することを特徴とする光伝送装置１０が提供される。
【００２０】
ここで、光可変減衰器１５は、光減衰量を調整する。モニタ部１６は、光可変減衰器１５の後段に設置されて光パワーをモニタする。制御部１８は、光可変減衰器１５の減衰量制御を行い、光検出しきい値のレベルを光アンプ１１ａから放出される雑音光のレベルと等しくして、モニタ値が雑音光レベルに達した場合は、ＡＬＣモードへ遷移して、光レベル調整のためのループ制御の立ち上げを行う。
【００２１】
【発明の実施の形態】
以下、本発明の実施の形態を図面を参照して説明する。図１は本発明の光伝送装置の原理図である。光伝送装置１０は、光アンプ１１ａ、ＤＥＭＵＸ１２、光スイッチ１３、光可変減衰器（ＶＡＴ）１５、モニタ部（ＰＤ）１６、制御部（ＣＣ：Ｃｏｎｔｒｏｌ  Ｃｉｒｃｕｉｔ）１８を含み、ＷＤＭの光伝送を行う装置である。
【００２２】
光アンプ１１ａは、例えば、ＥＤＦＡ（Ｅｒｂｉｕｍ−Ｄｏｐｅｄ  Ｆｉｂｅｒ  Ａｍｐｌｉｆｉｅｒ）で構成されるプリアンプである。ＥＤＦＡは、エルビウム（Ｅｒ３＋）添加ファイバ（ＥＤＦ：Ｅｒｂｉｕｍ−Ｄｏｐｅｄ  Ｆｉｂｅｒ）を増幅用媒体とした光増幅器であり、励起光をＥＤＦに照射して光信号を進行させ、そのとき生じる誘導放出によって、光信号のレベルを増幅させる。
【００２３】
ＤＥＭＵＸ１２は、ＡＷＧ（Ａｒｒａｙ  Ｗａｖｅ−ｇｕｉｄｅ  Ｇｒａｔｉｎｇ）で構成され、光アンプ１１ａで増幅されたＷＤＭ信号を波長分離する。光スイッチ１３は、波長毎に光信号をスイッチングする。
【００２４】
また、ＶＡＴ１５、ＰＤ１６、ＣＣ１８によって、光レベルを調整するためのループ制御が行われる。ＶＡＴ１５は、入力光の光減衰量を調整する。ＰＤ１６は、ＶＡＴ１５の後段に設置されて、減衰量制御が施された後の光信号の光パワーをモニタする。ＣＣ１８は、ＰＤ１６のモニタ値にもとづいて、ＶＡＴ１５の減衰量を制御して、ＶＡＴ１５の出力光パワーを一定値に設定する。
【００２５】
一方、ＥＤＦＡのような誘導放出が増幅原理となっている光アンプ１１ａでは、入力光信号の存在の有無に関わらず、自然放出といった現象が生じる。この現象によって光アンプ１１ａから漏れ出した光は雑音光となり、ＡＳＥ（Ａｍｐｌｉｆｉｅｄ  Ｓｐｏｎｔａｎｅｏｕｓ  Ｅｍｉｓｓｉｏｎ）光と呼ばれている。
【００２６】
本発明では、このＡＳＥ光を利用してループ制御の立ち上げを行うものである（本発明でいう“立ち上げ”とは、ＶＡＴ１５、ＰＤ１６、ＣＣ１８によって行われるループ制御のモードを、入力光レベルが変動した場合でもＶＡＴ出力光レベルを一定とするＡＬＣのモードに設定することをいう）。
【００２７】
立ち上げ時には、光スイッチ１３はＴｈｒｕに設定される。すると、光アンプ１１ａから放出されるＡＳＥ光は、ＤＥＭＵＸ１２、光スイッチ１３を通過して、ＶＡＴ１５へ入力される。なお、ＤＥＭＵＸ（ＡＷＧ）１２は、ＷＤＭ光を本来は各波長に分波するが、ＡＳＥ光が入力した場合は、ＡＳＥ光は波長帯域が広いために、無くなることなく、そのまま通過される。
【００２８】
ＣＣ１８は、光検出しきい値のレベルを光アンプ１１ａから放出されるＡＳＥ光のレベルと等しくしており、ＰＤ１６のモニタ値がＡＳＥ光レベルを超えた（または等しい）ことを認識すると、ループ制御のモードをＡＬＣモードへ遷移する。
【００２９】
このように、光検出しきい値を従来の主信号光レベルからＡＳＥ光レベルまで下げて、ＡＳＥ光を利用して立ち上げることで、外付け光源などが不要となるため、簡易にかつ高速にループ制御の立ち上げを行うことができる。
【００３０】
なお、“ＶＡＴを開く”とはＶＡＴの減衰量を小さくすることであり、“ＶＡＴを閉じる”とは減衰量を大きくすることの意味である。また、減衰量を最大（光を通さない）にすることを“全閉じ”、中間レベルにすることを“半開き”、減衰量を最小（スルー状態）にすることを“全開”という表現も以降使用する。
【００３１】
次にプロテクションパス切り替え時間において、本発明が解決すべき問題点を図２、図３を用いて説明する。図２はリングネットワークを示す図である。リングネットワークＲは、ノードＮ１〜Ｎ４が光ファイバによりリング状に接続したネットワークである。
【００３２】
ノードＮ１は、リング内の伝送として、ＷＥＳＴ→ＥＡＳＴへＷＤＭ信号を流す際に用いるＶＡＴ１５ａ−１、ＥＡＳＴ→ＷＥＳＴへＷＤＭ信号を流す際に用いるＶＡＴ１５ａ−２を含む。同様に、ノードＮ２〜Ｎ４それぞれは、リング内の伝送として、ＷＥＳＴ→ＥＡＳＴへＷＤＭ信号を流す際に用いるＶＡＴ１５ｂ−１〜１５ｄ−１、ＥＡＳＴ→ＷＥＳＴへＷＤＭ信号を流す際に用いるＶＡＴ１５ｂ−２〜１５ｄ−２を含む。
【００３３】
ここで、ノードＮ４は、トリビュタリから光信号を受信して、光スイッチング（ノード内の光スイッチの図示は省略）によりＡｄｄし、ＶＡＴ１５ｄ−１でレベル調整した後、ワーキングパスＰ１を通じて、ＥＡＳＴ側へ出力する。ノードＮ１は、ＷＥＳＴから入力したＷＤＭ信号を、光スイッチングによりＤｒｏｐしてトリビュタリへ送信する。ワーキングパスＰ１を通じて、このような通信を行っているときに、リンクＬｉｎｋに回線障害が発生したとする。
【００３４】
光入力が断すると、下流に位置するノードＮ１は、光入力断を検出する。ノードＮ１は、回線切り替え情報を含むＯＳＣ（Ｏｐｔｉｃａｌ  Ｓｕｐｅｒｖｉｓｏｒｙ  Ｃｈａｎｎｅｌ）信号を生成し、このＯＳＣ信号はノードＮ１→ノードＮ２→ノードＮ３→ノードＮ４へ順に通知される。
【００３５】
各ノードはＯＳＣ信号の回線切り替え情報にしたがい、リンクＬｉｎｋを迂回するためのプロテクションパスＰ２を確立し、障害箇所を回避して、ノードＮ４→ノードＮ３→ノードＮ２→ノードＮ１の流れで通信が再開する。また、この場合、ＷＥＳＴ→ＥＡＳＴのプロテクションルートを流れるＷＤＭ信号は、ノードＮ４、Ｎ３、Ｎ２内それぞれのＶＡＴ１５ｄ−２、ＶＡＴ１５ｃ−２、ＶＡＴ１５ｂ−２を通過することになる。
【００３６】
図３はプロテクションパス切り替えに必要な時間を示す図である。グラフｇ１はＶＡＴ１５ｄ−２、１５ｃ−２、１５ｂ−２の出力信号の光パワーを示し、縦軸は光パワー、横軸は時間である。グラフｇ２はＶＡＴ１５ｄ−２、１５ｃ−２、１５ｂ−２の減衰量設定値を示し、縦軸は減衰量、横軸は時間である。
【００３７】
時間ｔ０〜ｔ１では、ノードＮ４のＥＡＳＴ→ＷＥＳＴの系側のＶＡＴ１５ｄ−２のＶＡＴ減衰量は減衰量Ｄｃ（全閉じ状態）であり、ＶＡＴ出力光はゼロレベルである。その後、ノードＮ４がリンクＬｉｎｋの回線障害発生を認識すると、時間ｔ１では、ノードＮ４でＥＡＳＴ→ＷＥＳＴへの系切り替えが行われ、ＶＡＴ１５ｄ−２のＶＡＴ減衰量は固定減衰量Ｄｈ（ＡＬＤモード時の減衰量）になる。
【００３８】
時間ｔ１〜ｔ２では、ＶＡＴ１５ｄ−２のＶＡＴ減衰量は、固定減衰量Ｄｈから通常減衰量Ｄ０（ＡＬＣモード時の減衰量）へ移行し、時間ｔ２で、通常ターゲットパワーＬ０（システム運用中に設定すべき、ＡＬＣモード時の光信号レベル）に達する。
【００３９】
一方、ノードＮ３のＶＡＴ１５ｃ−２では、時間ｔ２で固定減衰量Ｄｈから通常減衰量Ｄ０へ移行し、時間ｔ３で通常ターゲットパワーＬ０に達する。また、ノードＮ２のＶＡＴ１５ｂ−２では、時間ｔ３で固定減衰量Ｄｈから通常減衰量Ｄ０へ移行し、時間ｔ４で通常ターゲットパワーＬ０に達する。
【００４０】
ここで、１段目のＶＡＴ１５ｄ−２に対するプロテクションパス切り替え時間ｔａは（ｔ２−ｔ１）であり、２段目のＶＡＴ１５ｃ−２のプロテクションパス切り替え時間ｔｂは（ｔ３−ｔ１）であり、３段目のＶＡＴ１５ｂ−２のプロテクションパス切り替え時間ｔｃは（ｔ４−ｔ１）である。
【００４１】
ここで、図２に示したリングネットワークＲでノードＮ１、Ｎ４間の通信時に、回線障害が発生してワーキングパスＰ１からプロテクションパスＰ２へ切り替わると、ＶＡＴが多段接続するプロテクションルートを光信号が通過することになる。したがって、１ノード当たりの通常減衰量Ｄ０の状態へ移行するまでの時間（ノードＮ４の切り替え時間（ｔ２−ｔ１）、ノードＮ３の切り替え時間（ｔ３−ｔ１）、ノードＮ２の切り替え時間（ｔ４−ｔ１））が長いと、次段ノードへ正常光が届くまでの時間も長く要することになり、結果としてプロテクションパスＰ２への切り替え時間を延ばしてしまうことになる。
【００４２】
したがって、ＡＬＤモードからＡＬＣモードへ移行するまでの時間を短縮するような制御を行わないと、現用系から予備系へ完全に切り替わるまでのプロテクションタイムの規格（５０ｍｓ）を満足できないおそれがある。
【００４３】
本発明では、固定減衰量Ｄｈから通常減衰量Ｄ０の状態へ移行するまでの時間を短縮化して、すなわち、ＡＬＤモードからＡＬＣモードへの移行時間を短縮化して、プロテクションタイムの規格を満たし、光伝送品質及び信頼性の向上を図るものである。さらに、本発明では装置電源投入時のループ制御の立ち上げの簡略化も実現するものである。
【００４４】
次に本発明の光伝送装置１０を適用したＷＤＭ装置について説明する。図４はＷＤＭ装置１０ａの構成を示す図である。ＷＤＭ装置１０ａは、プリアンプ（ＰｒｅＡｍｐ）１１ａ、ＤＥＭＵＸ１２、光スイッチ１３、トランスポンダ（Ｔｒａｎｓｐｏｎｄｅｒ）１４−１〜１４−ｎ、ＶＡＴ１５−１〜１５−ｎ（総称する場合はＶＡＴ１５）、ＰＤ１６−１〜１６−ｎ（総称する場合はＰＤ１６）、ＭＵＸ１７、ポストアンプ（ＰｏｓｔＡｍｐ）１１ｂ、ＣＣ１８、ＯＳＣ制御部１９、カプラｃ１、ｃ２から構成される。なお、ＶＡＴ１５−１〜１５−ｎ、ＰＤ１６−１〜１６−ｎ、ＣＣ１８によって光レベル調整のためのループ制御が行われる。
【００４５】
カプラｃ１は、ＷＤＭ信号と、運用情報等を含む監視信号であるＯＳＣ信号とを受信して、ＷＤＭ信号をプリアンプ１１ａへ、ＯＳＣ信号をＯＳＣ制御部１９へ分岐する。プリアンプ１１ａは、ＷＤＭ信号を増幅し、ＤＥＭＵＸ１２は、増幅後のＷＤＭ信号を波長分離する。
【００４６】
光スイッチ１３は、ＤＥＭＵＸ１２からの光信号をＴｈｒｕ（通過）またはＤｒｏｐ（分岐）し、トランスポンダ１４−１〜１４−ｎからの光信号をＡｄｄ（挿入）する。トランスポンダ１４−１〜１４−ｎは、低速のトリビュタリからの光信号を受信した際は、ＷＤＭ側の波長帯域幅に変換して光スイッチ１３へ出力し、光スイッチ１３でＤｒｏｐされた光信号を受信した際は、低速ネットワーク側の波長帯域幅に変換してトリビュタリへ出力する。
【００４７】
光スイッチ１３からの出力光は、ＶＡＴ１５−１〜１５−ｎで波長毎にレベル調整され、ＭＵＸ１７で波長多重される。ＰＤ１６−１〜１６−ｎは、ＶＡＴ１５−１〜１５−ｎの出力光をモニタし、モニタ値をＣＣ１８へ送信する。
【００４８】
ＯＳＣ制御部１９は、ＯＳＣ信号を受信すると、現在どの波長が運用されているか等といった運用情報や障害情報を認識して、認識結果をＣＣ１８へ送信する。また、自装置の運用状態を含むＯＳＣ信号を生成してカプラｃ２へ送信する。
【００４９】
ＣＣ１８は、ＯＳＣ制御部１９からの情報と、ＰＤ１６−１〜１６−ｎからのモニタ値と、後述の入力光レベルモニタ値とにもとづいて、光スイッチ１３及びＶＡＴ１５−１〜１５−ｎを制御する。ポストアンプ１１ｂは、ＭＵＸ１７からのＷＤＭ信号を増幅し、カプラｃ２は、増幅されたＷＤＭ信号と、ＯＳＣ信号とを合波して次段のＷＤＭノードへ出力する。
【００５０】
ここで、ポストアンプ１１ｂの入力部分のＷＤＭ信号を構成する各チャネルの光パワーは、すべて一定（同一）レベルであることが必要である。もし、チャネルの光パワーがばらついていると、例えば、光パワーの低い信号を受信した次段ノードのトランスポンダではエラーが発生し、光Ｓ／Ｎの劣化を招くことになる。
【００５１】
したがって、ポストアンプ１１ｂで規定される入力範囲内で、各波長の光レベルがすべて同一値となるように、チャネル毎にＶＡＴ１５−１〜１５−ｎを設けて、ＭＵＸ１７の前段でレベル調整を行っている。
【００５２】
次にＷＤＭ装置１０ａにおける、装置電源投入時のループ制御の立ち上げ動作について説明する。最初に装置に電源を投入する。ループ制御の立ち上げ前はＶＡＴ１５−１〜１５−ｎは全閉じ状態になっている。全閉じ状態だと後段のＰＤ１６−１〜１６−ｎに光が入力せずに、ＣＣ１８の出力パワー一定のループ制御が起動しない。したがって、まず、オペレータ設定等により、ＶＡＴ１５−１〜１５−ｎを半開き状態（ＡＬＤモード）にしておく。
【００５３】
次に光スイッチ１３をＴｈｒｕ側に設定する。プリアンプ１１ａからはＡＳＥ光が放出し、ＡＳＥ光は、ＤＥＭＵＸ１２、光スイッチ１３を通過し、ＶＡＴ１５−１〜１５−ｎへ入力される。
【００５４】
ＶＡＴ１５−１〜１５−ｎは半開き状態であるため、ＡＳＥ光はＰＤ１６−１〜１６−ｎへ入力し、ＡＳＥ光のパワーが検出される。ＰＤ１６−１〜１６−ｎはＡＳＥ光レベルをモニタ結果としてＣＣ１８へ送信する。ＣＣ１８は、光検出のしきい値レベルをＡＳＥ光のレベルとしており、ＰＤ１６−１〜１６−ｎのモニタ値としてＡＳＥ光レベルを認識した際は、ＶＡＴ１５−１〜１５−ｎの減衰量を運用状態時の通常減衰量に設定し、ＡＬＣモードへ遷移する。
【００５５】
このように、本発明では、検出しきい値をＡＳＥ光レベルにまで下げているために、装置の電源投入時、ＶＡＴ１５−１〜１５−ｎを自立的に開くことができる（ＯＳＣの光情報や外付け光源等が不要である）。また、その後、通常レベルの入力光が入ってきた場合でも、すでに運用状態（ＡＬＣモード）となっているために、スムーズに適切な光出力レベルを出力することができる。
【００５６】
次にＷＤＭ装置１０ａにおける、光入力断から光入力復帰した時のループ制御の立ち上げ動作について説明する。図５は光入力断から光入力復帰した時の状態を示す図である。ＷＤＭ装置１０ａに対して、ＷＤＭ信号の入力断が発生し、その後に復帰して再びＷＤＭ信号が入力される様子を示している。このような状況におけるループ制御の立ち上げ動作について以降説明する。
【００５７】
最初に光検出レベルを主信号光レベルとしたときの従来の立ち上げ動作について説明する。図６はＶＡＴの出力信号の光パワーと減衰量との対応関係を示す図である。
【００５８】
グラフＧ１はＶＡＴの出力信号の光パワーを示し（ＶＡＴの後段に設置されるＰＤによるモニタ値である）、縦軸は光パワー、横軸は時間である。グラフＧ２はＶＡＴの減衰量設定値を示し、縦軸は減衰量、横軸は時間である。
〔Ｔ０〜Ｔ１〕ＶＡＴからの出力光（ＶＡＴ出力光）は、通常ターゲットパワーＬ０であり、ＶＡＴに設定された減衰量（ＶＡＴ減衰量）は通常減衰量Ｄ０である。通常ターゲットパワーとは、システム運用中に設定すべき、ＡＬＣモード時の光信号レベル（各チャネルのばらつきを抑えてすべてのチャネルの光パワーを同一にすべきレベル値）のことである。また、通常減衰量Ｄ０とは、ＶＡＴ出力光を通常ターゲットパワーＬ０と設定する際の減衰量設定値のことでＡＬＣ動作時の減衰量である。
〔Ｔ１〕光入力断が発生する。
〔Ｔ１〜Ｔ２〕ＶＡＴ出力光は徐々にレベルが低下し、ＶＡＴは光レベルを上げようとして、減衰量を小さくする。
〔Ｔ２〕光信号レベルが光入力断検出レベルＬ１まで達すると、光入力断を検出する。光入力断検出時には、ＶＡＴ減衰量は減衰量Ｄａとなっている。
〔Ｔ２〜Ｔ３〕ＶＡＴ出力光はレベル低下していく。ＶＡＴは、時間Ｔ２で発生するおそれのある、ノード内のプリアンプからの光サージを後段へ出力しないように、減衰量Ｄａから減衰量を大きくしていき、時間Ｔ３で固定減衰量Ｄｈ（ＶＡＴ半開き）に設定される。
【００５９】
この固定減衰量はＡＬＤ（Ａｕｔｏｍａｔｉｃ  Ｌｅｖｅｌ  Ｄｏｗｎ）モードのときに設定される減衰量である。すなわち、光入力断検出時には、ＡＬＤモード（ＶＡＴ半開き）にして、光サージが後段へ出力することを防止する（なお、ＡＬＤモードは、装置に電源を投入して、ループ制御をＡＬＣモードへ遷移させる際の前段階のモードとしても利用される）。
〔Ｔ３〜Ｔ４〕ＶＡＴ減衰量は固定減衰量Ｄｈを維持し、ＶＡＴ出力光はゼロレベル近傍に達する。
〔Ｔ４〕光入力が復帰する。
〔Ｔ４〜Ｔ５〕ＶＡＴ出力光は徐々にレベルが上がる。ＶＡＴ減衰量は固定減衰量Ｄｈである。
〔Ｔ７〕ＶＡＴ出力光が光復帰検出レベルＬ２に達し、ノードは光復帰を検出する。
〔Ｔ７〜Ｔ８〕ＶＡＴ減衰量は、運用時に設定すべき通常減衰量Ｄ０へ移行し始め、ＶＡＴ出力光はレベル上昇していく。
〔Ｔ８以降〕ＶＡＴ減衰量は通常減衰量Ｄ０となり、ＶＡＴ出力光は、通常ターゲットパワーＬ０で一定となって、ＡＬＣモードとなる。
【００６０】
次に光検出レベルをＡＳＥ光レベルとした本発明の立ち上げ動作について説明する。図７はＶＡＴ１５の出力信号の光パワーと減衰量との対応関係を示す図である。グラフＧ１ａはＶＡＴ１５の出力信号の光パワーを示し（ＰＤ１６によるモニタ結果）、縦軸は光パワー、横軸は時間である。グラフＧ２ａはＶＡＴ１５の減衰量設定値を示し、縦軸は減衰量、横軸は時間である。
【００６１】
なお、グラフ中の細実線は図６で示したものであり、太実線が本発明によって時間短縮を施したものである。時間Ｔ０〜Ｔ４までは図６と同じなので、時間Ｔ４の光入力復帰以降から説明する。
〔Ｔ４〕光入力が復帰する。
〔Ｔ４〜Ｔ５〕ＶＡＴ出力光は徐々にレベルが上がる。ＶＡＴ減衰量は固定減衰量Ｄｈ（ＡＬＤモード）である。
〔Ｔ５〕ＶＡＴ出力光が、ＡＳＥレベルに設定された光復帰検出レベルＬ３に達し、ＣＣ１８は光復帰を検出する。
〔Ｔ５〜Ｔ６〕ＶＡＴ減衰量は、運用時に設定すべき通常減衰量Ｄ０へ移行し始め、ＶＡＴ出力光はレベル上昇していく。
〔Ｔ６以降〕ＶＡＴ減衰量は通常減衰量Ｄ０となり、ＶＡＴ出力光は、通常ターゲットパワーＬ０で一定となって、ＡＬＣモードとなる。
【００６２】
ここで、ＡＬＤモード（固定減衰量Ｄｈ）からＡＬＣモード（通常減衰量Ｄ０）への移行時間について見ると、従来（図７の細実線）では、光復帰検出レベルがＬ２の位置であるため、時間Ｔ７から固定減衰量Ｄｈが下がり始め、時間Ｔ８で通常減衰量Ｄ０となっている。
【００６３】
一方、本発明（図７の太実線）では、光復帰検出レベルをＬ２よりも低いＡＳＥレベルＬ３としている。このため、従来と比べてより速い、時間Ｔ５から固定減衰量Ｄｈが下がり始め、時間Ｔ６で通常減衰量Ｄ０となっている。すなわち、本発明では光復帰検出レベルをＡＳＥレベルまで下げることで、ＡＬＤモードからＡＬＣモードへの移行時間を、時間（Ｔ８−Ｔ６）分速くしており、従来よりも速く運用状態へ遷移することができる。
【００６４】
次にＶＡＴ１５に対して段階的に通常減衰量Ｄ０を設定する場合の実施の形態について説明する。上記の説明では、ＡＳＥ光のパワーを認識した際は、通常ターゲットパワーＬ０に直接設定する構成としたが、ここでの実施の形態では、ターゲットパワーを通常ターゲットパワーＬ０より低い領域に設定しておき、段階を踏んでＡＬＣモードへ移行するものである。
【００６５】
ＡＳＥ光を使用してＶＡＴ１５を開き始めると、ＡＳＥ光はパワーが弱いために、運用時と比較して余分にＶＡＴが開きぎみとなる（通常減衰量Ｄ０より下方に減衰量が設定される可能性がある）。この開きぎみの状態で安定すると、運用時のパワーの光信号が入力した場合、光サージの原因となるおそれがある。
【００６６】
したがって、ＡＳＥレベルを使用してＶＡＴ１５を運用状態に持っていく場合には、ＣＣ１８は通常ターゲットパワーＬ０よりレベルの低い低レベルターゲットパワーを用意しておき、一旦、ＶＡＴ出力光が低レベルターゲットパワーになるように減衰量を設定する。これにより、ＶＡＴ１５の開き具合が過剰になることを防止し、通常光が復帰しても光サージを発生しないようにする。
【００６７】
ただし、低レベルターゲットパワーのままおいておくと、必要な光パワーがＶＡＴ１５より出力されないので、プリアンプ１１ａに一定レベルの光が一定時間入力することが検出された場合は、低レベルターゲットパワーから通常ターゲットパワーＬ０への切り替えを行う。
【００６８】
なお、プリアンプ１１ａにおいて、光信号が入力されたか否かを検出する場合には、プリアンプ１１ａの出力段にＰＤを設けて光入力レベルを監視する。そして、モニタ結果をＣＣ１８へ送信し、ＣＣ１８内のタイマ機能で一定時間一定レベルの光が入力しているか否かを判断する方法を用いる。または、ＤＥＭＵＸ１２の後段にチャネル毎にＰＤを置いて、すべてのチャネルのモニタ値をＣＣ１８へ送信して、入力光レベルの検出を行ってもよい。
【００６９】
図８は低レベルターゲットパワーを設けたときの立ち上げ動作を示すフローチャートである。
〔Ｓ１〕光入力断が発生する。
〔Ｓ２〕ループ制御は、ＡＬＤモードへ遷移する。
〔Ｓ３〕ＣＣ１８は、光検出しきい値がＡＳＥ光レベルに達したか否かを判断する。しきい値に達した場合はステップＳ４へ、そうでなければステップＳ２へ戻る。
〔Ｓ４〕ＣＣ１８は、ＶＡＴ出力光が低レベルターゲットパワーとなるような減衰量をＶＡＴ１５に設定する。
〔Ｓ５〕ＣＣ１８は、プリアンプ１１ａに一定レベルの光が一定時間入力されているか否かを判断する。入力されていればステップＳ６へいき、そうでなければステップＳ４へ戻る。
〔Ｓ６〕ＣＣ１８は、ＶＡＴ出力光が低レベルターゲットパワーから通常ターゲットパワーへ切り替えるための通常減衰量を設定し、ＡＬＣモードへ遷移する。
【００７０】
次に電源投入を契機にして、通常減衰量の近傍の所定減衰量をＶＡＴに設定し、光入力があった場合に所定減衰量から通常減衰量へ移行する実施の形態について説明する。
【００７１】
図９はＶＡＴの出力信号の光パワーと減衰量との対応関係を示す図である。所定減衰量を設定しない場合を示している。グラフＧ１ｂはＶＡＴ１５の出力信号の光パワーを示し、縦軸は光パワー、横軸は時間である。グラフＧ２ｂはＶＡＴ１５の減衰量設定値を示し、縦軸は減衰量、横軸は時間である。
〔Ｔ１０〜Ｔ１１〕電源投入前の状態である。ＶＡＴ出力光のレベルはゼロで、ＶＡＴ減衰量は最大減衰量Ｄｃ（全閉じ）である。
〔Ｔ１１〕ＷＤＭ装置１０ａに電源を投入する。
〔Ｔ１１〜Ｔ１３〕ＶＡＴ出力光はゼロレベルであり、ＶＡＴ減衰量はＡＳＤモードに設定される。
〔Ｔ１３〜Ｔ１４〕ＶＡＴ出力光は徐々にレベルが上がり、ＶＡＴ減衰量はＡＳＤモードを維持する。
〔Ｔ１４〕ＶＡＴ出力光が、ＡＳＥレベルに設定された光復帰検出レベルＬ３に達し、ＣＣ１８は光を検出する。
〔Ｔ１４〜Ｔ１６〕ＶＡＴ減衰量は、運用時に設定すべき通常減衰量Ｄ０へ移行し始め、ＶＡＴ出力光はレベル上昇していく。
〔Ｔ１６以降〕ＶＡＴ減衰量は通常減衰量Ｄ０となり、ＶＡＴ出力光は、通常ターゲットパワーＬ０で一定となって、ＡＬＣモードとなる。
【００７２】
図１０はＶＡＴの出力信号の光パワーと減衰量との対応関係を示す図である。所定減衰量Ｄｂを設定した場合を示している。グラフＧ１ｃはＶＡＴ１５の出力信号の光パワーを示し、縦軸は光パワー、横軸は時間である。グラフＧ２ｃはＶＡＴ１５の減衰量設定値を示し、縦軸は減衰量、横軸は時間である。なお、グラフ中の細実線は図９で示したものであり、太実線が本発明によって時間短縮を施したものである。
〔Ｔ１０〜Ｔ１１〕電源投入前の状態である。ＶＡＴ出力光のレベルはゼロで、ＶＡＴ減衰量は最大減衰量Ｄｃ（全閉じ）である。
〔Ｔ１１〕ＷＤＭ装置１０ａに電源を投入する。
〔Ｔ１１〜Ｔ１２〕ＶＡＴ出力光はゼロレベルであり、ＶＡＴ減衰量は通常減衰量Ｄ０の近傍上方にある所定減衰量Ｄｂに設定される。
〔Ｔ１２〜Ｔ１４〕ＶＡＴ出力光は徐々にレベルが上がり、ＶＡＴ減衰量は所定減衰量Ｄｂを維持する。
〔Ｔ１４〕ＶＡＴ出力光が、ＡＳＥレベルに設定された光復帰検出レベルＬ３に達し、ＣＣ１８は光を検出する。
〔Ｔ１４〜Ｔ１５〕ＶＡＴ減衰量は、運用時に設定すべき通常減衰量Ｄ０へ移行し始め、ＶＡＴ出力光はレベル上昇していく。
〔Ｔ１５以降〕ＶＡＴ減衰量は通常減衰量Ｄ０となり、ＶＡＴ出力光は、通常ターゲットパワーＬ０で一定となって、ＡＬＣモードとなる。
【００７３】
このように、通常減衰量Ｄ０の近傍上方に所定減衰量Ｄｂを設けて、電源投入時には、固定減衰量Ｄｈではなく、所定減衰量Ｄｂへ移行することにより、光検出時には即座に通常減衰量Ｄ０へ遷移することができる（時間（Ｔ１６−Ｔ１５）だけ短縮できる）。
【００７４】
以上説明したように、本発明では光検出しきい値を従来の主信号光レベルよりも低いＡＳＥ光レベルまで下げることで、ループ制御をすみやかにＡＬＣモードへ遷移させることができる。このため、従来のような外付け光源を設置したり、立ち上げ専用系を構築するなどといったことが不要となるため、大幅なコストダウンを図ることができ、かつ運用効率を向上することが可能になる。
【００７５】
また、プロテクションパス確立時の切り替えに要する蓄積時間という観点で見ると、検出しきい値を低レベルのＡＳＥ光レベルとしたことで、ＡＬＤモードからＡＬＣモードへの移行時間が速くなる。このため、プロテクションパス確立に要する時間を従来よりも短縮することが可能になる。特に、障害を迂回する際に張られるプロテクションパスが、多くの複数ノードを介して確立するような場合、プロテクションタイムを満たすことがシビアとなりがちであるが、各ノードに対して本発明を利用することで、プロテクションタイムを満たすことができるため、光伝送品質及び信頼性の向上を図ることが可能になる。
【００７６】
【発明の効果】
以上説明したように、本発明の光伝送装置は、光検出しきい値のレベルを光アンプから放出される雑音光のレベルと等しくし、モニタ値が雑音光レベルに達した場合にＡＬＣモードへ遷移して、光レベル調整のためのループ制御の立ち上げを行う構成とした。これにより、簡易にループ制御の立ち上げを行うことができ、かつプロテクションパスの切り替え時間の短縮化を図ることが可能になる。
【図面の簡単な説明】
【図１】本発明の光伝送装置の原理図である。
【図２】リングネットワークを示す図である。
【図３】プロテクションパス切り替えに必要な時間を示す図である。
【図４】ＷＤＭ装置の構成を示す図である。
【図５】光入力断から光入力復帰した時の状態を示す図である。
【図６】ＶＡＴの出力信号の光パワーと減衰量との対応関係を示す図である。
【図７】ＶＡＴの出力信号の光パワーと減衰量との対応関係を示す図である。
【図８】低レベルターゲットパワーを設けたときの立ち上げ動作を示すフローチャートである。
【図９】ＶＡＴの出力信号の光パワーと減衰量との対応関係を示す図である。
【図１０】ＶＡＴの出力信号の光パワーと減衰量との対応関係を示す図である。
【符号の説明】
１０  光伝送装置
１１ａ  プリアンプ
１２  ＤＥＭＵＸ
１３  光スイッチ
１５  光可変減衰器
１６  モニタ部
１８  制御部
【図１】
2005012689.tif 000003
【図２】
2005012689.tif 000004
【図３】
2005012689.tif 000005
【図４】
2005012689.tif 000006
【図５】
2005012689.tif 000007
【図６】
2005012689.tif 000008
【図７】
2005012689.tif 000009
【図８】
2005012689.tif 000010
【図９】
2005012689.tif 000011
【図１０】
2005012689.tif 000012